(57)【要約】【課題】買物袋を持参した客に対してクーポンポイントを付与することが可能になる。【解決手段】識別データを入力するスキャナ４５により入力された１商品取引の合計金額を算出する。この合計金額を現金決済する預／現計キー４１ｃまたはクレジットカードにより決済するクレジットキー４１ｄの決済処理を有する。当該１商品取引の買上商品を収容するための買物袋を客に提供するか否かを指定する自袋キー４１ｈにより買物袋を提供しないと指定され、かつ、決済処理として預／現計キー４１ｃまたはクレジットキー４１ｄが選択された場合に、当該合計金額の設定閾値に対応して当該決済処理に対するクーポンポイントをレシートに印字発行する。【選択図】      図６
2011221859.tif 000002
【特許請求の範囲】
【請求項１】
識別データを入力する識別データ入力手段と、
この識別データ入力手段により入力された１商品取引の買上商品の合計金額を算出する合計金額算出手段と、
この合計金額算出手段により算出された当該合計金額に対して決済処理を現金による現金決済とクレジットカードによるクレジット決済とを選択的に実行可能な決済選択手段と、
当該１商品取引の買上商品を収容するための買物袋を客に提供するか否かを指定する指定手段と、
この指定手段により客に買物袋を提供しないと指定され、かつ、前記決済選択手段により前記現金決済または前記クレジット決済が選択された場合に、当該合計金額の設定閾値に対応して前記現金決済または前記クレジット決済の決済処理に該当するクーポンポイントを付与するクーポンポイント付与手段と、
このクーポンポイント付与手段により付与された当該クーポンポイントを記憶媒体に出力するクーポンポイント出力手段と、
を備えたことを特徴とする商品販売データ処理装置。
【請求項２】
前記クーポンポイント付与手段は、
前記１商品取引の合計金額の設定閾値に対応してクーポンレベルが予め設定されたクーポンレベル設定手段と、
前記クーポンレベルに対応して前記現金決済と前記クレジット決済の決済処理に対応してクーポンポイントが記憶されたクーポンポイント記憶手段と、
当該１商品取引の合計金額の設定閾値に対応する前記クーポンレベルを前記クーポンレベル設定手段から取得するクーポンレベル取得手段と、
このクーポンレベル取得手段により取得された当該クーポンレベルで前記クーポンポイント記憶手段から前記現金決済または前記クレジット決済が選択された決済処理に対応したクーポンポイントを取得するクーポンポイント取得手段と、
このクーポンポイント取得手段により取得された当該クーポンポイントを付与することを特徴とする請求項１に記載の商品販売データ処理装置。
【請求項３】
前記クーポンポイント付与手段は、
さらに、優待自袋有無を判定する優待自袋有無判定手段と、
この優待自袋有無判定手段により優待自袋有と判定された場合に、付与される前記クーポンポイントを割り増すことを特徴とする請求項２に記載の商品販売データ処理装置。
【請求項４】
前記クーポンポイント付与手段は、
前記識別データ入力手段により入力された識別データがバーコードデータ記憶手段に予め記憶されたバーコードデータと符合する場合に、付与される前記クーポンポイントを割り増すことを特徴とする請求項２または３に記載の商品販売データ処理装置。
【請求項５】
前記クーポンレベルは、１商品取引の合計金額の設定閾値が増加する段階毎に当該１商品取引の複数の前記設定閾値が予め設定されるクーポンレベル設定手段と、
このクーポンレベル設定手段により前記設定閾値を上回るか否かを判定する設定閾値判定手段と、
この設定閾値判定手段により判定された設定閾値に基づいて前記クーポンレベルを取得することを特徴とする請求項２〜４のいずれかに記載の商品販売データ処理装置。
【請求項６】
前記識別データは、店舗が客に予め配布した買物袋に付与されることを特徴とする請求項４に記載の商品販売データ処理装置。
【発明の詳細な説明】
【技術分野】
【０００１】
この発明の実施形態は、ＰＯＳ（Point Of Sales：販売時点データ管理）端末等の商品販売データ処理装置に関する。
【背景技術】
【０００２】
従来、買上商品の登録を行うＰＯＳ端末などの商品販売データ処理装置では、店舗側が用意した買物袋を辞退して、客自身が用意した買物袋を用いて（以下、客自身が用意した買物袋を［自袋］という）買物した場合には、他の商品との交換や値引きなどに活用できるポイントを決済時に与えるものが知られている。
【０００３】
また、商品の大きさに関するデータに基づいて１商品取引で買上げた商品を収容するに必要な買物袋データを算出し、その買物袋データに対応したポイントを客に与えることが知られている（たとえば、特許文献１参照）。
【先行技術文献】
【特許文献】
【０００４】
【特許文献１】特開２００８−１７１２５９号公報
【発明の概要】
【発明が解決しようとする課題】
【０００５】
前記従来例では、同じように自袋を用意した場合であっても１商品取引の買上商品を収容するための買物袋相当のポイントが客に与えられる。そのために、買上商品が少ない客と買上商品が多い客との間が不公平となることはない。
【０００６】
しかしながら、１商品取引の買上商品を収容するための買物袋相当のポイントを算出するために個々の商品の大きさに関するデータを予め登録しなければならず、多種類の商品を販売する店舗においては、容易に実行することができるものではなかった。
【０００７】
この発明の実施形態は、店舗側が用意した買物袋を客が辞退した場合に、１商品取引の買上商品の合計金額に応じて決済処理として現金決済またはクレジット決済に対応して相対的なクーポンポイントを与え、多種類の商品を販売する店舗であっても容易に実行することを可能とする商品販売データ処理装置を提供しようとするものである。
【課題を解決するための手段】
【０００８】
この実施形態にかかる商品販売データ処理装置は、識別データを入力する識別データ入力手段と、この識別データ入力手段により入力された１商品取引の買上商品の合計金額を算出する合計金額算出手段と、この合計金額算出手段により算出された当該合計金額に対して決済処理を現金による現金決済とクレジットカードによるクレジット決済とを選択的に実行可能な決済選択手段と、当該１商品取引の買上商品を収容するための買物袋を客に提供するか否かを指定する指定手段と、この指定手段により客に買物袋を提供しないと指定され、かつ、前記決済選択手段により前記現金決済または前記クレジット決済が選択された場合に、当該合計金額の設定閾値に対応して前記現金決済または前記クレジット決済の該当するクーポンポイントを付与するクーポンポイント付与手段と、このクーポンポイント付与手段により付与された当該クーポンポイントを記憶媒体に出力するクーポンポイント出力手段と、を備えたことを特徴とする。
【図面の簡単な説明】
【０００９】
【図１】実施形態に係るＰＯＳ端末の要部構成に一例を示すブロック図。
【図２】実施形態に係るキーボードのキーレアウトの一例を示す平面図。
【図３】実施形態に係るクーポン設定テーブルの主要なデータ構造を示す模式図。
【図４】実施形態に係るクーポンデータテーブルの主要なデータ構造を示す模式図。
【図５】実施形態に係る優待自袋の一例を示す模式図。
【図６】実施形態に係るＰＯＳ端末のＣＰＵが実行する商品販売データ処理の主要なステップを示す構成を示すフローチャート。
【図７】実施形態に係るレシートの一例を示す模式図。
【発明を実施するための形態】
【００１０】
以下、この発明の一実施形態について図面を参照して説明する。
【００１１】
なお、この実施形態は、スーパーマーケットなどにおけるチェックアウトカウンタに設置されているＰＯＳ端末などを含む商品販売データ処理装置に適用した場合について説明する。
【００１２】
図１は、この一実施形態に係るＰＯＳ端末１１の要部構成を示すブロック図である。
【００１３】
図１に示すように、ＰＯＳ端末１１は、ＣＰＵ（Central Processing Unit）２１と、ＲＯＭ（Read Only Memory）２２と、ＲＡＭ（Random Access Memory）２３と、時計部２４と、Ｉ／Ｏ（Input／Output）ポート２５と、通信コントローラ２６と、キーコントローラ２７と、第１表示コントローラ２８と、第２表示コントローラ２９と、プリンタコントローラ３０と、スキャナコントローラ３１およびカードコントローラ３２等と、を備え、これらがアドレスバス、データバスなどのバスライン３３で接続している。
【００１４】
ＣＰＵ２１は、ＲＯＭ２２に記憶された各種プログラムを実行することによりＰＯＳ端末１１の全体を制御する。
【００１５】
ＲＯＭ２２には、ＣＰＵ２１が実行する各種プログラムが記憶されている。
【００１６】
ＲＡＭ２３には、ＣＰＵ２１が各種プログラムを実行する際に一時的にデータやプログラムを記憶する。たとえば、商品の販売データを記憶するためのワークメモリエリアが設けられている。
【００１７】
時計部２４には、現在の日時を計時する。
【００１８】
Ｉ／Ｏポート２５には、ＣＰＵ２１からの指令によりドロワ４７に対して駆動信号が出力される。
【００１９】
このドロワ４７には、現金等を収容するために設けられており、駆動信号の入力により自動的に開放動作する。このドロワ４７は、自動釣銭機能を有するものでもよい。
【００２０】
また、Ｉ／Ｏポート２５には、モードスイッチ４８からのモード選択信号を入力する。
【００２１】
モードスイッチ４８には、［登録］、［点検］、［精算］、［設定］などの各種業務モードを選択するためのスイッチである。たとえば、鍵のスイッチにて操作されることにより、その実行をＣＰＵ２１に指令されるようになっている。
【００２２】
ちなみに、［登録］とは、スキャナ４５などにより客による買上商品の商品データが入力されると、その入力された商品データに基づいて図１に示すストアコンピュータ１２に備えられた商品テーブル１１０を参照して取得された商品情報に基づいて買上商品の買上データがワークメモリエリアへ一時的に記憶される。
【００２３】
そして、すべての商品入力が終了され、現金決済の預／現計キー４１ｃの締め手段またはクレジットカードによるクレジット決済のクレジットキー４１ｄの締め手段により当該１商品取引の入力終了が宣言されると、その１商品取引で客の買上商品の合計金額などを前面表示器４２、客面表示器４３に表示させ、そしてプリンタ４４により買上データおよびクーポンポイントをレシートに印字発行する業務のモードである。
【００２４】
［点検］とは、ワークメモリエリアに記憶された買上商品の買上データを集計し、レポート出力する業務のモードである。
【００２５】
［精算］とは、［点検］と同様に記憶された各商品の買上データを集計し、レポート出力した後、記憶された買上データをクリアする業務のモードである。
【００２６】
［設定］とは、各種業務等を実行する上で必要なデータを予め設定して記憶する業務のモードである。
【００２７】
通信コントローラ２６には、有線または無線の伝送路を介してストアコンピュータ１２との間でデータ通信を制御する。
【００２８】
キーボードコントローラ２７には、キーボード４１から操作キーに対応したキー信号を取り込みＣＰＵ２１に入力する。
【００２９】
図２は、この実施形態に係るキーボード４１の各種の操作キーのキーレアウトの一例を示す平面図である。
【００３０】
図２に示すように、キーボード４１の操作キーとしてたとえば、商品データや数値データを入力するための０〜９までの置数キー１４ａ、ＰＬＵ（price look up）コードであることを指令するＰＬＵキー１４ｂ、１商品取引の代金を現金による現金決済の商品入力の締めを宣言する預／現計キー４１ｃ、１商品取引の代金をクレジットカードによるクレジット決済の商品入力の締めを宣言するクレジットキー４１ｄ、１商品取引として商品データとして入力された商品の合計金額を出力する小計キー４１ｅ、置数の入力を買上点数として入力させるための乗算キー４１ｆ、直前に商品入力が行われた商品と同一の商品の商品入力を行うことを指示するためのリピートキー４１ｇ、客自身が袋を用意するなどして買物袋を辞退した場合に宣言する自袋キー４１ｈなどを有する。
【００３１】
この自袋キー４１ｈには、１商品取引分の買上商品を収容するための買物袋を客に提供するか否かを指定することができる。そして、自袋キー４１ｈを操作することで、決済処理時に客が買物袋を辞退した場合には、買上商品の合計金額の各クーポンレベルに応じてクーポンポイントを提供することが可能になる。
【００３２】
ここで、自袋キー４１ｈは、買物袋を辞退する場合の指定手段として機能する。
【００３３】
なお、決済処理において、１商品取引の代金を現金決済の商品入力の締めを宣言する預／現計キー４１ｃ、１商品取引の代金をクレジット決済の商品入力の締めを宣言するクレジットキー４１ｄを選択的に実行することが可能になる。
【００３４】
ここでは、預／現計キー４１ｃと、クレジットキー４１ｄと、を決済選択手段として機能する。
【００３５】
第１表示コントローラ２８には、当該ＰＯＳ端末１１を操作するオペレータ（キャッシャ）に対して前面表示器４２の駆動を制御してＣＰＵ２１から与えられる表示データに対応した文字、画像を表示させる。
【００３６】
第２表示コントローラ２９には、客に対して客面表示器４３の駆動を制御してＣＰＵ２１から与えられる表示データに対応した文字、画像を表示させる。
【００３７】
プリンタコントローラ３０には、プリンタ４４の駆動を制御してＣＰＵ２１から供給される印字データをもとにレシート印字を行わせる。
【００３８】
スキャナコントローラ３１には、スキャナ４５で読取られたデータの信号を取り込みＣＰＵ２１に入力する。
【００３９】
なお、スキャナ４５で読取られたデータは、商品に表示されている識別データである商品コードのバーコードデータや図５に示すように、優待自袋５１に表示されているバーコード５２の識別データである。ここにスキャナ４５は、識別データ入力手段として機能する。
【００４０】
カードコントローラ３２には、カードリーダライタ４６でカードからの読取りデータの信号の取り込みＣＰＵ２１に入力する。また、カードリーダライタ４６でカードに書き込みデータをＣＰＵ２１に出力する。
【００４１】
前記レシートおよび前記カードは、記憶媒体として機能する。
【００４２】
ストアコンピュータ１２には、特に、商品テーブル１１０、クーポン設定テーブル１２０、クーポンデータテーブル１３０、バーコードデータテーブル１４０が記憶管理されている。
【００４３】
ここでは、前記ストアコンピュータ１２のクーポン設定テーブル１２０、クーポンデータテーブル１３０、バーコードデータテーブル１４０の各データは、ＰＯＳ端末１１のＲＡＭ２３または図示しないＨＤＤ（Hard Disk Drive）に所定時刻になるとダウンロードされるようになっている。
【００４４】
図３は、クーポン設定テーブル１２０の一例を示す模式図である。
【００４５】
図３に示すように、クーポン設定テーブル１２０には、１商品取引分の合計金額の設定閾値に対応してクーポンレベルを設定されている。
【００４６】
ここに、クーポン設定テーブル１２０はクーポンレベル設定手段として機能する。
【００４７】
そして、クーポンレベルは、買上商品の合計金額の設定閾値としてたとえば、２段階に予め設定されている。
【００４８】
たとえば、クーポンレベル１には、買上商品の合計金額＝５００として５００円が設定閾値１として設定されている。
【００４９】
また、クーポンレベル２には、買上商品の合計金額＝１０００として１０００円が設定閾値２として設定されている。
【００５０】
したがって、１商品取引の買上商品の合計金額が５００円未満では、設定閾値未満でいずれのクーポンレベルも適用されることなく、クーポンレベルが“０”として扱われる。
【００５１】
また、１商品取引の買上商品の合計金額が５００円以上、１０００円未満では、１段階目の設定閾値１を上回るのでクーポンレベル１が適用される。
【００５２】
また、１商品取引の買上商品の合計金額１０００円以上では２段階目の設定閾値２を上回るのでクーポンレベル２が適用される。
【００５３】
このため、たとえば、客が買上げた商品の合計金額が６００円の場合には、設定閾値１を上回るのでクーポン設定テーブル１２０のクーポンレベル１が適用される。
【００５４】
なお、この実施形態においては、クーポンレベルを２段階に設定しているが必要に応じて３段階以上に設定してもよいことである。
【００５５】
図４は、クーポンデータテーブル１３０の一例を示す模式図である。
【００５６】
図４に示すように、クーポンデータテーブル１３０には、たとえば、クーポンレベルごとに図５に示すように、優待自袋５１の有／無および買上商品の代金である合計金額の設定閾値に対して決済処理における現金による現金決済とクレジットカードによるクレジット決済に対応したクーポンポイントが設定されている。
【００５７】
ここに、クーポンデータテーブル１３０は、クーポンポイント記憶手段としての機能をする。
【００５８】
具体的には、優待自袋５１が有る場合には、無しの場合に比べて割り増したクーポンポイントが設定されている。
【００５９】
図４に示すように、クーポンデータテーブル１３０には、クーポンレベル１およびクーポンレベル２の２段階のクーポンレベルが設定されている。
【００６０】
第１段階目のクーポンレベル１において、優待自袋５１が有り、決済処理が現金支払の現金決済の場合には、クーポンポイントが３円に設定されている。
【００６１】
また、優待自袋５１が有り、決済処理がクレジットカード支払いのクレジット決済の場合には、クーポンポイントが２円に設定されている。
【００６２】
また、優待自袋５１が無で、決済処理が現金支払の現金決済の場合には、クーポンポイントを２円が設定されている。
【００６３】
また、優待自袋５１が無で、決済処理がクレジットカード支払いのクレジット決済の場合には、クーポンポイントが１円に設定されている
また、第２段階目のクーポンレベル２において、優待自袋５１が有り、決済処理が現金支払の現金決済の場合には、クーポンポイントが４円に設定されている。
【００６４】
また、優待自袋５１が有り、決済処理がクレジットカード支払いのクレジット決済の場合には、クーポンポイントが３円に設定されている。
【００６５】
また、優待自袋５１が無で、決済処理が現金支払の現金決済の場合には、クーポンポイントが３円に設定されている。
【００６６】
また、優待自袋５１が無で、決済処理がクレジットカード支払いのクレジット決済の場合には、クーポンポイントが２円に設定されている。
【００６７】
このため、客が買上げた商品、たとえば、合計金額が６００円で優待自袋５１を持参した場合には、図４に示すように、クーポンデータテーブル１２０のクーポンレベル１が優待自袋５１の有、決済処理がクレジットカード支払いのクレジット決済に対応する２円のクーポンポイントが得られることとなる。
【００６８】
図５は、この実施例に係る優待自袋５１の一例を示す模式図である。図５に示すように、優待自袋５１は、店舗が客に予め配布しておいた買物袋である。
【００６９】
この優待自袋５１には、バーコード５２が設けられている。このバーコード５２には、店舗が配布した優待自袋５１であることを証明するためのものである。
【００７０】
具体的には、スキャナ４５により優待自袋５１に表示されたバーコード５２を読み込んでＰＯＳ端末１１やストアコンピュータ１２などに予め記憶されたバーコードデータ記憶手段としてのバーコードデータテーブル１４０に含まれるバーコードデータと照合し、符合するか否かを判定することで、自店舗が配布した優待自袋５１であることを証明する。
【００７１】
たとえば、決済処理において買物袋を辞退した客が優待自袋５１を提示した場合には、自袋キー４１ｈの操作入力時にバーコード５２を読み込んで、優待自袋５１が自店舗で配布した買物袋であるか否かを判定する。このとき、自店舗が配布した買物袋であることが証明された場合には、決済処理のときにクーポンポイントを割り増しするようになっている。
【００７２】
すなわち、店舗が予め配布しておいた買物袋を持参し、繰り返し店舗を利用していると見込まれる客については、買物袋を辞退した際のクーポンポイントの割り増しを行う。
【００７３】
これにより、買物袋の辞退を推進させるとともに、繰り返し店舗を利用するリピータを増加させることが可能となる。
【００７４】
次に、ＰＯＳ端末１１のＣＰＵ２１は、図６のフローチャートに示す各ステップによる１商品取引処理を実行するものとなっている。
【００７５】
はじめに、ＣＰＵ２１は、ＳＴ１１としてたとえば、スキャナ４５などの識別データ入力手段を介して商品データが入力されると（ＳＴ１１−ＹＥＳ）、ＳＴ１２としてスキャナ４５を介して入力された商品データに基づいて通信コントローラ２６を介してストアコンピュータ１２の商品テーブル１１０から商品情報を読み出し、読み出された商品情報に基づいて買上商品データを作成しＲＡＭ２３のワークメモリエリアに一時的に記憶するとともに前面表示部４２および客面表示部４３へ表示する。
【００７６】
このＳＴ１１〜ＳＴ１２の処理は、ＳＴ１３としてキーボード４１に設けられた預／現計キー４１ｃまたはクレジットキー４１ｄなどが選択され操作を実行して商品入力の締めが宣言されるまで商品データの入力が繰り返し行われる（ＳＴ１３−ＮＯ）。
【００７７】
次に、１商品取引のすべての客買上商品についての商品入力が終了した場合には、買上商品の代金である合計金額を現金で支払う現金決済の場合には、キーボード４１に設けられた預／現計キー４１ｃを選択して操作を実行するようになっている。
【００７８】
または、買上商品の代金である合計金額をクレジットカードで支払うクレジット決済の場合には、キーボード４１に設けられたクレジットキー４１ｄを選択して操作を実行するようになっている。
【００７９】
すなわち、預／現計キー４１ｃまたはクレジットキー４１ｄのいずれかのキーを選択して操作を実行する（決済選択手段）ことにより締めが宣言されると（ＳＴ１３−ＹＥＳ）、ＣＰＵ２１は、ＳＴ１４として１商品取引の買上商品の合計金額が算出される（合計金額算出手段）。
【００８０】
次に、ＣＰＵ２１は、自袋キー４１ｈの操作の有無を検出し、客が自袋を持参しているか否か、すなわち、ＳＴ１５として１商品取引分の買上商品を収容するための買物袋を客に提供するか否かを指定する（指定手段）。
【００８１】
そして、客が自袋を持参されてなく買物袋を客に提供する場合には（ＳＴ１５―ＮＯ）、ＣＰＵ２１は、ＳＴ２５としてＳＴ１４で算出された買上商品の合計金額による決済処理を行う。ここでは、客が自袋を持参されていないので、クーポンポイントの付与が行われない。
【００８２】
ＳＴ２６としてクーポンポイントの無い、通常のレシートをプリンタ４４により印字出力して１商品取引処理を終了する。
【００８３】
また、ＳＴ１５では、客が自袋を持参しており、１商品取引分の買上商品を収容するための買物袋を客に提供しない場合には（ＳＴ１５−ＹＥＳ）、ＳＴ１６としてＳＴ１４で算出した買上商品の合計金額がクーポン設定テーブル１２０に設定されたクーポンレベル１の設定閾値１またはクーポンレベル２の設定閾値２を上回るか否かを判定する（設定閾値判定手段）。
【００８４】
具体的には、ＳＴ１６では、クーポン設定テーブル１２０におけるクーポンレベル１の設定閾値１またはクーポンレベル２の設定閾値２を上回るか否かを判定する。すなわち、買上商品の合計金額がたとえば、５００円未満の場合には、合計金額がクーポン設定テーブル１２０に設定閾値１の１段階目のクーポンレベル１の閾値未満であるので、クーポンレベル＝０（クーポンポイント＝０）に設定してＳＴ２５へ処理を進める。
【００８５】
この場合は、客が自袋を持参していなく、１商品取引分の買上商品を収容するための買物袋を客に提供する場合（ＳＴ１５−ＮＯ）と同様、ＳＴ１４で算出された合計金額に対してクーポンポイントの提供が行われることはない。
【００８６】
このように買上商品の合計金額が設定閾値未満ではクーポンレベル＝０とすることで、たとえば、１商品取引分の買上商品を収容するための買物袋を客に提供しないと指定された場合であっても、買上商品に購買を証明する専用テープなどを添付して済ませ、買物袋が必要ではないような場合にも対応することができる。
【００８７】
次に、買上商品の合計金額が５００〜１０００円の間の場合には、設定閾値１のクーポンレベル１に該当するのでＳＴ１７に進む。
【００８８】
また、合計金額が１０００円以上の場合には、設定閾値２のクーポンレベル２に該当するのでＳＴ１８に進む。
【００８９】
次に、ＣＰＵ２１は、ＳＴ１６の設定閾値判定手段に基づいて、ＳＴ１７では、クーポン設定テーブル１２０に設定された設定閾値１の１段階目のクーポンレベル＝１を設定する。
【００９０】
ＣＰＵ２１は、ＳＴ１６の設定閾値判定手段に基づいて、ＳＴ１８では、クーポン設定テーブル１２０に設定された設定閾値の２段階目のクーポンレベル２のクーポンレベル＝２を設定する。
【００９１】
次に、ＣＰＵ２１は、ＳＴ１９としてたとえば、ＳＴ１１の買上商品の識別データ入力時に、スキャナ４５により優待自袋５１のバーコード５２が読み込まれたか否かによって、優待自袋５１の有無を判定する（優待自袋有無判定手段）。
【００９２】
そして、優待自袋５１が有る場合には（ＳＴ１９−ＹＥＳ）、ＣＰＵ２１は、ＳＴ１７で設定された設定閾値２のクーポンレベル１で、優待自袋５１の有を条件としてクーポンポイント＝２をクーポンデータテーブル１３０から読み出して算出する。
【００９３】
また、優待自袋５１が無い場合には（ＳＴ１９−ＮＯ）、ＣＰＵ２１は、ＳＴ２２としてＳＴ１７で設定された設定閾値１のクーポンレベル１で、優待自袋５１の無い条件としてクーポンポイント＝１をクーポンデータテーブル１３０から読み出して算出する。
【００９４】
ＣＰＵ２１は、ＳＴ２０としてたとえば、ＳＴ１１の買上商品の識別データ入力時に、スキャナ４５により優待自袋５１のバーコード５２が読み込まれたか否かによって、優待自袋５１の有無を判定する。そして、優待自袋５１が有る場合には（ＳＴ２０−ＹＥＳ）、ＣＰＵ２１は、ＳＴ１８で設定された設定閾値２のクーポンレベル２で、優待自袋５１ありを条件としてクーポンポイント＝３をクーポンデータテーブル１３０から読み出して算出する。
【００９５】
また、優待自袋５１が無い場合には（ＳＴ２０−ＮＯ）、ＣＰＵ２１は、ＳＴ２４としてＳＴ１８で設定された設定閾値２のクーポンレベル２で、優待自袋５１の無しの条件としてクーポンポイント＝２をクーポンデータテーブル１３０から読み出して算出する。
【００９６】
次に、ＣＰＵ２１は、ＳＴ２５としてＳＴ１４で算出された買上商品の合計金額に基づいて決済処理を行う。
【００９７】
この決済処理は、ＳＴ１３において買上商品の代金である合計金額を現金支払による現金決済がキーボード４１の預／現計キー４１ｃを選択して操作して実行された場合には、ＳＴ２６では、ＳＴ２１，ＳＴ２２、ＳＴ２３およびＳＴ２４により算出され各クーポンポイントにたとえば、１ポイントを加算するようになっている。
【００９８】
なお、加算ポイントは、１ポイントに限定されることはなく、加算ポイントは、２ポイントやクーポンポイントを２倍以上にしてもよいことは勿論である。
【００９９】
ＳＴ２７としてクーポンポイントに加算されたクーポンポイントをプリンタ４４によりレシートに印字出力させて処理を終了する。
【０１００】
また、ＳＴ１３において買上商品の代金である合計金額をクレジットカードによるクレジット支払によるクレジット決済がクレジットキー４１ｄを選択して操作が実行された場合には、ＳＴ２７では、クーポンポイントにポイント加算されることなくＳＴ２１，ＳＴ２２、ＳＴ２３およびＳＴ２４により算出されクーポンポイントをプリンタ４４によりレシートに印字出力させて処理を終了する。
【０１０１】
なお、クレジットカードによるクレジット支払によるクレジット決済においても現金決済に較べて少ないクーポンポイントを付加するようにしてもよい。
【０１０２】
図７は、レシート出力の一例を示す模式図である。
【０１０３】
具体的には、ＳＴ２７においてプリンタ４４で出力されるレシートのクーポンポイントが印字された部分の一例を示す模式図である。
【０１０４】
図７に示すように、ＣＰＵ２１は、ＳＴ２７として買上商品の小計および合計の金額、クレジット支払およびクーポンポイントが印字されたレシートを出力する。
【０１０５】
このレシートにより、客は、買物袋を辞退した場合の決済処理におけるクーポンポイントを確認することができる。
【０１０６】
以上、この実施形態にかかるＰＯＳ端末１１は、客が優待自袋５１を持参して決済処理を現金決済またはクレジット決済を行うことによりクーポンポイントを得ることが可能になる。このクーポンポイントを次回の買物において利用することができる。
【０１０７】
なお、このクーポンポイントを買上商品の合計金額から値引き額として決済してもよいことは勿論である。
【０１０８】
なお、クーポンポイントをレシートに印字発行するように、前記実施形態では説明したが各店舗が発行する店舗カードにカードリーダライタ４６によりクーポンポイントを記録して提供してもよいことは勿論である。
【０１０９】
以上のように、前記実施形態のＰＯＳ端末１１は、１商品取引分の決済処理時に客が買物袋を辞退し、１商品取引分の買上商品を収容するための買物袋を客に提供しないと指定され、かつ、買上商品の代金である合計金額を現金で支払う現金決済のキーボード４１に設けられた預／現計キー４１ｃまたは買上商品の代金である合計金額をクレジットカードで支払うクレジット決済のキーボード４１に設けられたクレジットキー４１ｄを選択して操作を実行する場合には、１商品取引の合計金額の設定閾値に対して現金決済またはクレジット決済ごとに対応した相対的なクーポンポイントを提供することが可能であるため、多種類の商品の大きさなどを予め登録する手間を必要としない効果を得ることができる。
【０１１０】
なお、この実施形態では、客が優待自袋５１を持参して提示した時に、その優待自袋５１に設けられたバーコード５２を識別データ入力手段としてのスキャナ４５で読み取り、バーコードデータテーブル１４０に予め設定されたバーコードデータと符合する場合に、クーポンポイントの割り増しを行う構成を例示した。
【０１１１】
しかしながら、客が提示するものは、バーコードなど予め記憶された情報との符号の有無を検証可能なデータが記憶された記憶媒体であれば、カードなどであってもよい。その形態は特に限定しない。たとえば、店舗が客などに予め配布した店舗カードなどであってもよい。
【０１１２】
また、データを記憶する記憶媒体としては、バーコードやＱＲコード（登録商標）などが設けられた物以外に、磁気カード、ＲＦＩＤなどであってもよい。
【０１１３】
なお、データを記憶する記憶媒体が磁気カードやＲＦＩＤなどである場合には、スキャナ４５とは別に、各記憶媒体に対応したカードリーダライタ４６を備えるものとする。
【０１１４】
なお、この発明は前記実施形態に限定されるものではなく、実施の段階ではその要旨を逸脱しない範囲で構成要素を変形して具体化できる。
【０１１５】
たとえば、この実施形態では、ＰＯＳ端末１１とオンラインで接続されたストアコンピュータ１３が商品テーブル１１０、クーポン設定テーブル１２０、クーポンデータテーブル１３０、バーコードデータテーブル１４０を記憶管理したが、ＰＯＳ端末１１自体が図示しない、ＨＤＤに商品テーブル１１０、クーポン設定テーブル１２０、クーポンデータテーブル１３０、バーコードデータテーブル１４０を記憶管理することによって、単体のＰＯＳ端末１２によりこの発明の実施形態の商品販売データ処理装置を構成することも可能である。
【０１１６】
以上説明したように、本発明は前記実施形態に限定されるものではなく、実施の段階ではその趣旨を逸脱しない範囲で種々に変形することが可能であるのは勿論である。
【符号の説明】
【０１１７】
１１…ＰＯＳ端末、１２…ストアコンピュータ、２１…ＣＰＵ、２２…ＲＯＭ、２３…ＲＡＭ、４１…キーボード、４１ｈ…自袋キー、４１ｃ…預／現計キー（締め手段）、４１ｄ…クレジットキー（締め手段）、４４…プリンタ、４５…スキャナ（識別データ入力手段）、５１…優待自袋、５２…バーコード、１１０…商品テーブル、１２０…クーポン設定テーブル（クーポンレベル設定手段）、１３０…クーポンデータテーブル（クーポンポイント記憶手段）、１４０…バーコードデータテーブル（バーコードデータ記憶手段）。
【図１】
2011221859.tif 000003
【図２】
2011221859.tif 000004
【図３】
2011221859.tif 000005
【図４】
2011221859.tif 000006
【図５】
2011221859.tif 000007
【図６】
2011221859.tif 000008
【図７】
2011221859.tif 000009